(57)【特許請求の範囲】
【請求項１】
コネクタハウジング内から接続端子を取り外すために、略帯状に形成された複数の板部材と、前記コネクタハウジング内の前記接続端子の係合状態を解除できるように前記各板部材の先端にそれぞれ異なる形状で設けられた爪部と、前記各板部材を厚み方向に沿って積層させた状態で収容する本体とを有し、
前記本体が、前記各板部材の積層方向両端部に沿う一対の側壁と、前記各板部材および前記各側壁を厚み方向に貫通する結合ピンとを備え、
前記各板部材が前記結合ピンの軸線を中心として前記各側壁に対して個々に回動可能な端子抜き治具において、
前記各側壁が分離しているとともに、前記各側壁のうちの一方の側壁は、他方の側壁の側に突出する一または複数の第１の突部を有し、前記他方の側壁は、前記一方の側壁の側に突出する一または複数の第２の突部を有し、前記第１の突部および第２の突部は、前記各側壁の幅方向の同じ側の端縁から互い違いに平行に突出していることを特徴とする端子抜き治具。
【請求項２】
前記各側壁のうちの少なくとも一方は、幅方向の一端縁に切欠部を有し、前記各側壁の間に収容された前記板部材の一部が前記切欠部から露出可能であることを特徴とする請求項１に記載した端子抜き治具。
【発明の詳細な説明】
【０００１】
【発明の属する技術分野】
本発明は端子抜き治具に係り、本体に収容する板部材の増減や、あるいは厚み寸法が異なる他の板部材との交換等に対応可能な端子抜き治具に関する。
【０００２】
【従来の技術】
図３に示すように、電気的な接続等に多用されるコネクタ30は、絶縁性を有する略角筒形状のコネクタハウジング31と、コネクタハウジング31内に収容される金属製の接続端子32とを含んで構成されている。
このコネクタ30は、コネクタハウジング31内に位置決め突起33および係止片34が設けられていて、係止片34を弾性変形（図３（Ａ）中、矢印参照）させながら先端が位置決め突起33に当接するまで接続端子32をコネクタハウジング31内に挿入することにより、接続端子32が係止片33に係止され、これにより接続端子32を引き抜き不可能に固定する。
【０００３】
ところで、前述したコネクタ30において、接続端子32を交換するにあたっては、コネクタハウジング31の端子収容孔35から所定の工具を挿入し、工具の先端により係止片34を弾性変形させることにより、接続端子32が引き抜き可能となる。
ところが、接続端子32を交換するにあたっては、端子収容孔35，接続端子32，係止片34の形状，寸法，形態，配置個所等に応じて、先端形状が異なる多数種類の工具を用意しておく必要がある。
【０００４】
【発明が解決しようとする課題】
これに対して、本願出願人は、略帯状に形成された複数の板部材40Ａ〜40Ｅと、各板部材40Ａ〜40Ｅの先端にそれぞれ異なる形状で設けられ、かつ、コネクタハウジング31内に挿入することにより係止片34を弾性変形可能な爪部41Ａ〜41Ｅと、各板部材40Ａ〜40Ｅを厚み方向に沿って積層させた状態で収容する本体42とを有し、略コ字状の断面形状が連続する本体42内に各板部材40Ａ〜40Ｅが収容されるとともに、各板部材40Ａ〜40Ｅおよび本体42の側壁を厚み方向に結合ピン43が貫通する端子抜き治具44を提案した（特開平10−255952号公報参照：従来例）。
【０００５】
この従来例によれば、結合ピン43の軸線を中心として、各板部材40Ａ〜40Ｅの幅方向端縁に設けられた摘み部45Ａ〜45Ｅを作業者が指で摘み、所望の爪部41Ａ〜41Ｅが設けられた板部材40Ａ〜40Ｅを本体42に対して回動させて外部露出させることにより、コネクタ30に適した工具を作業者が任意に選択できるとともに、本体42内に各板部材40Ａ〜40Ｅを収容することにより、保管時や作業者の携帯時における各爪部41Ａ〜41Ｅや被服の損傷を防止できるという極めて優れた効果が得られる。
【０００６】
ところで、前述した端子抜き治具44は、様々なコネクタに対応する複数種類の板部材40Ａ〜40Ｅを備えているが、例えば製品変更や生産品番の切換・変更に対応して板部材の追加・交換・削除が必要となる。
しかしながら、前述した従来例は、本体42が断面略コ字状であるため、本体42に収容する板部材40Ａ〜40Ｅの増減や、あるいは厚み寸法が異なる他の板部材との交換等に対応できないという不都合がある。
本発明は、前述した問題点に鑑みてなされたものであり、その目的は本体に収容する板部材の増減や、あるいは厚み寸法が異なる他の板部材との交換等に対応できる端子抜き治具を提供することにある。
【０００７】
【課題を解決するための手段】
本発明は、コネクタハウジング内から接続端子を取り外すために、略帯状に形成された複数の板部材と、前記コネクタハウジング内の前記接続端子の係合状態を解除できるように前記各板部材の先端にそれぞれ異なる形状で設けられた爪部と、前記各板部材を厚み方向に沿って積層させた状態で収容する本体とを有し、前記本体が、前記各板部材の積層方向両端部に沿う一対の側壁と、前記各板部材および前記各側壁を厚み方向に貫通する結合ピンとを備え、前記各板部材が前記結合ピンの軸線を中心として前記各側壁に対して個々に回動可能な端子抜き治具を前提としている。
【０００８】
そして、本発明は、前述した目的を達成するために、請求項１に記載したように、前記各側壁が分離しているとともに、前記各側壁のうちの一方の側壁は、他方の側壁の側に突出する一または複数の第１の突部を有し、前記他方の側壁は、前記一方の側壁の側に突出する一または複数の第２の突部を有し、前記第１の突部および第２の突部は、前記各側壁の幅方向の同じ側の端縁から互い違いに平行に突出していることを特徴としている。
【０００９】
ここで、突部としては、例えば棒状，板状等に形成しておけばよく、側壁に対して一体成形あるいは別体成形しておけばよい。また、この突部の数は任意である。
【００１０】
このように構成された端子抜き治具においては、本体を構成する各側壁が分離しているため、例えばボルトおよびナットを相互結合する形式の結合ピンを採用していれば、ボルトおよびナットの相対位置を適宜選択することにより、各側壁の離間寸法を調整できることになる。
すなわち、この端子抜き治具においては、本体に収容する板部材の増減や、あるいは厚み寸法が異なる他の板部材との交換等に対応できることになり、これにより前述した目的が達成される。
【００１２】
また、各第１突部および各第２突部の突出方向が互いに平行であるため、各第１突部および各第２突部の突出寸法および位置を適宜選択しておくことにより、各側壁の離間寸法が増大した場合であっても、各側壁の離間寸法が一定以下であれば、各第１突部および各第２突部がいわゆるラップした状態となる。
従って、この端子抜き治具においては、各側壁の離間寸法が増大した場合であっても、各側壁の離間寸法が一定以下であれば、本体に収容された各板部材の回動方向を一方向に規制できるとともに、本体から引き出された板部材を本体に対して所定の相対位置に規制できることになる。
【００１３】
さらに、本発明は、請求項２に記載したように、前記各側壁のうちの少なくとも一方は、幅方向の一端縁に切欠部を有し、前記各側壁の間に収容された前記板部材の一部が前記切欠部から露出可能であることを特徴としている。
このような端子抜き治具においては、本体に収容された板部材の一部が側壁に設けられた切欠部から露出するため、切欠部を介して作業者が指で板部材を幅方向に押すことにより、所望の板部材が回動して本体外に押し出されることになる。
すなわち、この端子抜き治具においては、従来のように板部材の幅方向端縁に突起となる摘み部を設ける必要がないため、作業者が被服のポケットに収納して携帯するにあたって、被服を損傷する虞れを回避できることになる。
【００１４】
【発明の実施の形態】
以下、本発明に係る実施形態を図面に基づいて詳細に説明する。
図１および図２に示すように、本発明の実施形態である端子抜き治具10は、図示しないコネクタハウジング内から接続端子を取り外すために、略帯状に形成された複数の板部材11Ａ〜11Ｇと、板部材11Ａ〜11Ｇの先端に設けられた爪部12Ａ〜12Ｇと、各板部材11Ａ〜11Ｇを厚み方向に沿って積層させた状態で収容する本体13とを含んで構成されている。
【００１５】
爪部12Ａ〜12Ｇは、コネクタハウジングの端子収容孔や係止片あるいは接続端子等の形状，寸法，形態，配置個所等に応じて、コネクタハウジング内における接続端子の係合状態を解除できるような互いに異なる形状で設けられている。
本体13は、各板部材11Ａ〜11Ｇの幅寸法および長手寸法よりも大きな略帯状に形成された一対の側壁14，15を有している。これらの側壁14，15は、互いに分離していて、各板部材11Ａ〜11Ｇの積層方向両端部に沿って配置されているとともに、それぞれの長手方向両端部を貫通する第１結合ピン21および第２結合ピン22を介して連結されている。
【００１６】
第１結合ピン21は、各板部材11Ａ〜11Ｇおよび各側壁14，15を厚み方向に一括して貫通する第１ボルト23と、第１ボルト23に螺合される円筒状の締付ナット24とを有している。この第１結合ピン21は、各板部材11Ａ〜11Ｇの枚数や厚み寸法が異なる他の板部材に変更するにあたって、第１ボルト23および締付ナット24の相対位置を変更することにより対応可能となっている。
締付ナット24は、外周面にローレット加工が施されていて、第１ボルト23に対して作業者が手で螺合可能とされている。
【００１７】
一方、第２結合ピン22は、各側壁14，15を厚み方向に貫通する第２ボルト25と、第２ボルト25に螺合される固定ナット26，27，28とを有し、各板部材11Ａ〜11Ｇの枚数や個々の厚み寸法に対応して、第２ボルト25の頭部と固定ナット26との間に挟持された側壁14と、固定ナット27，28間に挟持された側壁15との相対位置を選択的に固定できるようになっている。
このような第２結合ピン22は、作業者が端子抜き治具10を携帯する際、被服のポケット開口に係止可能なクリップ29が第２ボルト25の頭部に設けられている。
【００１８】
側壁14，15は、幅方向一端縁から厚み方向に沿って突出する第１突部16および第２突部17をそれぞれ一対づつ有している。
第１突部16および第２突部17は、互いに櫛歯状に所定間隔で設けられている。そして、これらの第１突部16および第２突部17は、各側壁14，15が所定位置に配置されると、突出方向が互いに擦れ違うように平行、かつ、互いに近付く方向に伸びるように配向されている。
【００１９】
また、これらの第１突部16および第２突部17は、本体13に収容された各板部材11Ａ〜11Ｇの回動方向を一方向に規制し、かつ、本体13から引き出された板部材11Ａ〜11Ｇを本体13に対して所定の相対位置に規制することにより、各板部材11Ａ〜11Ｇの回動角度を略180度に規制できるようになっている。
【００２０】
さらに、これらの側壁14，15は、幅方向一端縁の略中凹部に切欠部18，19が設けられていて、各側壁14，15間に収容された板部材11Ａ〜11Ｇの一部が切欠部18，19から露出するようになっている。
従って、端子抜き治具10は、切欠部18，19を介して作業者が指で板部材11Ａ〜11Ｇを幅方向に押すことにより、結合ピン21の軸線を中心として所望の板部材11Ａ〜11Ｇを回動させて本体13外に押し出し可能となっている。
【００２１】
以上のような端子抜き治具によれば、本体13を構成する各側壁14，15が分離しているため、第１結合ピン21および第２結合ピン22を適宜調整することにより、各側壁14，15の離間寸法を選択でき、これにより板部材11Ａ〜11Ｇの増減や、あるいは厚み寸法が異なる他の板部材との交換等に対応できる。
【００２２】
また、この端子抜き治具10によれば、各側壁14，15から互いに近付く方向に向かって突出する第１突部16および第２突部17が同一面に沿っているため、本体13に収容された各板部材11Ａ〜11Ｇの回動方向を一方向に規制できるとともに、本体13から引き出された板部材11Ａ〜11Ｇを本体13に対して所定の相対位置に規制でき、これにより各板部材11Ａ〜11Ｇの回動角度を略180度に規制できる。
【００２３】
さらに、前述した端子抜き治具10によれば、各第１突部16および各第２突部17の突出方向が互いに平行であるため、各第１突部16および各第２突部17の突出寸法および位置を適宜選択しておくことにより、各側壁14，15の離間寸法が増大した場合であっても、各側壁14，15の離間寸法が一定以下であれば、各第１突部16および各第２突部17がいわゆるラップした状態となる。
従って、この端子抜き治具10によれば、各側壁14，15の離間寸法が増大した場合であっても、各側壁14，15の離間寸法が一定以下であれば、本体13に収容された各板部材11Ａ〜11Ｇの回動方向を一方向に規制できるとともに、本体13から引き出された板部材11Ａ〜11Ｇを本体13に対して所定の相対位置に規制できる。
【００２４】
そして、このような端子抜き治具10によれば、本体13に収容された板部材11Ａ〜11Ｇの一部が側壁14，15に設けられた切欠部18，19から露出するため、切欠部18，19を介して作業者が指で板部材11Ａ〜11Ｇを幅方向に押すことにより、所望の板部材11Ａ〜11Ｇが回動して本体13外に押し出されることになる。
すなわち、この端子抜き治具10によれば、従来のように板部材11Ａ〜11Ｇの幅方向端縁に突起となる摘み部を設ける必要がないため、作業者が被服のポケットに収納して携帯するにあたって、被服を損傷する虞れを回避できる。
【００２５】
なお、本発明の端子抜き治具は、前述した実施形態に限定されるものでなく、適宜な変形，改良等が可能である。
例えば、前述した実施形態において、突部が各側壁にそれぞれ複数設けられていたが、一方の側壁にのみ突部を設けた形態も本発明に含まれる。
その他、前述した実施形態において例示した板部材，爪部，本体，側壁，結合ピン，突部，切欠部等の材質，形状，寸法，形態，数，配置個所等は本発明を達成できるものであれば任意であり、限定されない。
【００２６】
【発明の効果】
以上、説明したように、本発明によれば、請求項１に記載したように、互いに分離した各側壁のうちの一方の側壁は、他方の側壁の側に突出する第１の突部を有し、他方の側壁は、一方の側壁の側に突出する第２の突部を有し、第１の突部および第２の突部は、各側壁の幅方向の同じ側の端縁から互い違いに平行に突出しているため、結合ピンを適宜選択することにより、各側壁の離間寸法を調整でき、また、各第１突部および各第２突部の突出寸法および位置を適宜選択しておくことにより、各側壁の離間寸法が増大した場合であっても、各側壁の離間寸法が一定以下であれば、各第１突部および各第２突部がいわゆるラップした状態となり、これにより本体に収容された各板部材の回動方向を一方向に規制できるとともに、本体から引き出された板部材を本体に対して所定の相対位置に規制できる。
【００２８】
さらに、本発明によれば、請求項２に記載したように、本体に収容された板部材の一部が側壁に設けられた切欠部から露出するため、切欠部を介して作業者が指で板部材を幅方向に押すことにより、所望の板部材が回動して本体外に押し出され、従来のように板部材の幅方向端縁に突起となる摘み部を設ける必要がないため、作業者が被服のポケットに収納して携帯するにあたって、被服を損傷する虞れを回避できる。
【図面の簡単な説明】
【図１】本発明に係る一実施形態を示す斜視図である。
【図２】本発明に係る一実施形態を示す平面図である。
【図３】従来例を示す平面図，側面図である。
【符号の説明】
10  端子抜き治具
11Ａ〜11Ｇ  板部材
12Ａ〜12Ｇ  爪部
13  本体
14，15  側壁
21  第１結合ピン（結合ピン）
22  第２結合ピン（結合ピン）
16  第１突部（突部）
17  第２突部（突部）
18，19  切欠部
【図１】
0003781266.tif 000002
【図２】
0003781266.tif 000003
【図３】
0003781266.tif 000004